(57)【要約】【課題】本発明は、濯ぎノズル及び洗浄ノズルの着脱を容易とすることを目的とし、又、濯ぎノズル及び洗浄ノズルの着脱を安全に行なえるようにすることを目的とする。【解決手段】洗浄水配管の先端が前記洗浄ノズルに挿入され、前記洗浄水配管の内部中央に固定され、前記洗浄水配管の先端から突出する濯ぎ水配管が前記洗浄ノズルを貫通し、前記濯ぎ水配管の先端に導水管が嵌入され、外側面に凹凸が形成された凹凸ナットの貫通孔と前記濯ぎ水配管の先端部が螺合され、前記洗浄ノズルが回転自在に固定されると共に、前記導水管が前記濯ぎ水配管に固定され、前記凹凸ナットの貫通孔から突出した前記導水管が、ノズルヘッダーを保持するノズルホルダーの挿入孔に嵌入され、前記導水管にエンドナットが螺入されて、濯ぎノズルが前記導水管に回転自在に固定されていることを特徴とする洗浄ノズル及び濯ぎノズルの取付構造。【選択図】図１
2010057843.tif 000002
【特許請求の範囲】
【請求項１】
食器類を収納した洗浄室において、洗浄ノズルから洗浄水を噴射させて前記食器類を洗浄し、次いで濯ぎノズルから濯ぎ水を噴射させて前記食器類の濯ぎを行う食器洗浄機における、洗浄ノズル及び濯ぎノズルの取付構造であって、洗浄水配管の先端が前記洗浄ノズルに挿入され、前記洗浄水配管の内部中央に固定され、前記洗浄水配管の先端から突出する濯ぎ水配管が前記洗浄ノズルを貫通し、前記濯ぎ水配管の先端に導水管が嵌入され、外側面に凹凸が形成された凹凸ナットの貫通孔と前記濯ぎ水配管の先端部が螺合され、前記洗浄ノズルが回転自在に固定されると共に、前記導水管が前記濯ぎ水配管に固定され、
前記凹凸ナットの貫通孔から突出した前記導水管が、ノズルヘッダーを保持するノズルホルダーの挿入孔に回転可能に嵌入され、前記導水管にエンドナットが螺入されて、濯ぎノズルが前記導水管に回転自在に固定されていることを特徴とする洗浄ノズル及び濯ぎノズルの取付構造。
【請求項２】
前記洗浄水配管の先端には、外径が他の部分の外径より小さい細管部が形成され、該細管部が洗浄ノズルに挿入され、前記洗浄水配管と前記洗浄ノズル間には、パッキングを介装させ、前記凹凸ナットと前記洗浄ノズル間には、パッキングが介装されていることを特徴とする請求項１に記載の洗浄ノズル及び濯ぎノズルの取付構造。
【請求項３】
前記導水管の外側面に設けた鍔と前記濯ぎ水配管の先端面間に、Ｏ−リングが設置され、前記鍔を前記凹凸ナットに係止させ、前記導水管の先端面と前記エンドナットの頭部間に、Ｏ−リングが設置されていることを特徴とする請求項１又は２に記載の洗浄ノズル及び濯ぎノズルの取付構造。
【請求項４】
上記請求項１から３のうちいずれか１項に記載の洗浄ノズル及び濯ぎノズルの取付構造を備えたことを特徴とする食器洗浄機。
【請求項５】
前記洗浄ノズルは、細長皿状で、断面凹状の、縁部にフランジを有する１対のケースを、フランジを重ねて上下方向から重ね、一方のフランジを曲折して他方のフランジを挟持させて固定して形成したことを特徴とする請求項４に記載の食器洗浄機。
【請求項６】
上側に設置する洗浄ノズルの上方に位置する裏面ケースの底面は、裏面ケースの短手方向の側端に向けて下がる傾斜が設けられていることを特徴とする請求項５に記載の食器洗浄機。
【請求項７】
食器類を収納した洗浄室において、洗浄ノズルから洗浄水を噴射させて前記食器類を洗浄し、次いで濯ぎノズルから濯ぎ水を噴射させて前記食器類の濯ぎを行う食器洗浄機における、洗浄ノズル及び濯ぎノズルの取付方法であって、洗浄水配管の先端を前記洗浄ノズルに挿入し、前記洗浄水配管の内部中央に固定され、前記洗浄水配管の先端から突出する濯ぎ水配管を前記洗浄ノズルを貫通させ、前記濯ぎ水配管の先端に導水管を嵌入し、外側面に凹凸が形成された凹凸ナットの貫通孔と濯ぎ水配管の先端部を螺合させ、前記洗浄ノズルを回転自在に固定すると共に、前記導水管を前記濯ぎ水配管に固定し、前記凹凸ナットの貫通孔から突出した前記導水管を、ノズルヘッダーを保持するノズルホルダーの挿入孔に嵌入し、前記導水管にエンドナットを螺入して、濯ぎノズルを前記導水管に回転自在に固定したことを特徴とする洗浄ノズル及び濯ぎノズルの取付方法。
【発明の詳細な説明】
【技術分野】
【０００１】
本発明は、食器洗浄機の濯ぎノズル及び洗浄ノズルの取付構造及び該取付構造を有する食器洗浄機に関する。
【背景技術】
【０００２】
食器洗浄機の内部、例えば洗浄水タンクの内壁、濯ぎノズル、洗浄ノズルの清掃を容易とするために、食器洗浄機の洗浄室の上方及び下方に設置された濯ぎノズル及び洗浄ノズルを着脱可能とする、濯ぎノズル及び洗浄ノズルの取付構造が採用されている（例えば、特許文献１参照。）。
【０００３】
この特許文献１には、濯ぎノズル及び洗浄ノズルが着脱可能であることのみ開示されており、その取付構造は明らかではないが、従来からこの着脱可能な濯ぎノズル及び洗浄ノズルの取付構造として、頭部が六角のボルト及び六角ナットを用い、洗浄ノズルを六角ナットで位置決めし、濯ぎノズルを六角ボルトを締結して固定している（例えば、特許文献２の図２参照。）。
【０００４】
即ち、洗浄水配管の端部に洗浄ノズルを回転可能に設置し、洗浄水配管内部に設置され、洗浄水配管の端部から突出する濯ぎ水配管が洗浄ノズルを貫通し、濯ぎ水配管端部に濯ぎノズルが回転可能に設置され、洗浄ノズルは濯ぎ水配管の外側に六角ナットを螺合させて位置決めされ、六角のボルトが濯ぎ水配管の内に挿入、螺合されて、配管に濯ぎノズル及び洗浄ノズルが取り付けられている。
【０００５】
又、洗浄ノズルは細長皿状で、縁部にフランジを有するケースを上下方向から重ね、夫々のケースのフランジを重ねて、フランジ部分をシーム溶接して形成していた。
【０００６】
【特許文献１】特開２００１−２９３０５号公報
【特許文献２】特開２００５−２３０１９２号公報
【発明の開示】
【発明が解決しようとする課題】
【０００７】
しかし、上記の従来技術では、濯ぎノズル及び洗浄ノズルの着脱のために、頭部が六角のボルト及び六角ナットを締結又は緩めるために、レンチやスパナ等の工具を必要とするので、その作業が煩雑であり、濯ぎノズル及び洗浄ノズルの着脱に時間がかかっていた。特に洗浄室の上方に設置された濯ぎノズル及び洗浄ノズルの着脱には、濯ぎノズル及び洗浄ノズル、更にはボルト又はナットを一方の手で保持しつつ、他方の手で工具を把持して作業を行う必要があり、その作業はより煩雑であり、容易に着脱作業を行うことが出来ず、濯ぎノズル及び洗浄ノズルの着脱に時間がかかり、この問題が顕著であった。
【０００８】
又、洗浄ノズルは、上下のケースのフランジ部分をシーム溶接して形成していたので、フランジ部に角が残る場合があり、洗浄ノズルの着脱の際に、作業者の手を傷つける虞があり、作業者が持ち位置、持ち方を気にせずに、ためらうことなく、確実に洗浄ノズルを持つことが躊躇され、その作業を煩雑にすると共に、濯ぎノズル及び洗浄ノズルの着脱に時間がかかっていた。
【０００９】
そこで、本発明は、濯ぎノズル及び洗浄ノズルの着脱を容易とすることを目的とし、又、濯ぎノズル及び洗浄ノズルの着脱を安全に行なえるようにすることを目的とする。
【課題を解決するための手段】
【００１０】
上記課題を解決するための手段としての本発明は、食器類を収納した洗浄室において、洗浄ノズルから洗浄水を噴射させて前記食器類を洗浄し、次いで濯ぎノズルから濯ぎ水を噴射させて前記食器類の濯ぎを行う食器洗浄機における、洗浄ノズル及び濯ぎノズルの取付構造であって、洗浄水配管の先端が前記洗浄ノズルに挿入され、前記洗浄水配管の内部中央に固定され、前記洗浄水配管の先端から突出する濯ぎ水配管が前記洗浄ノズルを貫通し、前記濯ぎ水配管の先端に導水管が嵌入され、外側面に凹凸が形成された凹凸ナットの貫通孔と前記濯ぎ水配管の先端部が螺合され、前記洗浄ノズルが回転自在に固定されると共に、前記導水管が前記濯ぎ水配管に固定され、前記凹凸ナットの貫通孔から突出した前記導水管が、ノズルヘッダーを保持するノズルホルダーの挿入孔に回転可能に嵌入され、前記導水管にエンドナットが螺入されて、濯ぎノズルが前記導水管に回転自在に固定されていることを特徴とする洗浄ノズル及び濯ぎノズルの取付構造である。
【００１１】
又、上記取付構造において、前記洗浄水配管の先端には、外径が他の部分の外径より小さい細管部が形成され、該細管部が洗浄ノズルに挿入され、前記洗浄水配管と前記洗浄ノズル間には、パッキングを介装させ、前記凹凸ナットと前記洗浄ノズル間には、パッキングが介装されていることを特徴とする洗浄ノズル及び濯ぎノズルの取付構造である。
【００１２】
又、上記取付構造において、前記導水管の外側面に設けた鍔と前記濯ぎ水配管の先端面間に、Ｏ−リングが設置され、前記鍔を前記凹凸ナットに係止させ、前記導水管の先端面と前記エンドナットの頭部間に、Ｏ−リングが設置されていることを特徴とする洗浄ノズル及び濯ぎノズルの取付構造である。
【００１３】
更に、上記洗浄ノズル及び濯ぎノズルの取付構造を備えたことを特徴とする食器洗浄機である。
【００１４】
又、上記食器洗浄機において、前記洗浄ノズルは、細長皿状で、断面凹状の、縁部にフランジを有する１対のケースを、フランジを重ねて上下方向から重ね、一方のフランジを曲折して他方のフランジを挟持させて固定して形成したことを特徴とする食器洗浄機である。
【００１５】
又、上記食器洗浄機において、上側に設置する洗浄ノズルの上方に位置する裏面ケースの底面は、裏面ケースの短手方向の側端に向けて下がる傾斜が設けられていることを特徴とする食器洗浄機である。
【００１６】
更に、食器類を収納した洗浄室において、洗浄ノズルから洗浄水を噴射させて前記食器類を洗浄し、次いで濯ぎノズルから濯ぎ水を噴射させて前記食器類の濯ぎを行う食器洗浄機における、洗浄ノズル及び濯ぎノズルの取付方法であって、洗浄水配管の先端を前記洗浄ノズルに挿入し、前記洗浄水配管の内部中央に固定され、前記洗浄水配管の先端から突出する濯ぎ水配管を前記洗浄ノズルを貫通させ、前記濯ぎ水配管の先端に導水管を嵌入し、外側面に凹凸が形成された凹凸ナットの貫通孔と濯ぎ水配管の先端部を螺合させ、前記洗浄ノズルを回転自在に固定すると共に、前記導水管を前記濯ぎ水配管に固定し、前記凹凸ナットの貫通孔から突出した前記導水管を、ノズルヘッダーを保持するノズルホルダーの挿入孔に嵌入し、前記導水管にエンドナットを螺入して、濯ぎノズルを前記導水管に回転自在に固定したことを特徴とする洗浄ノズル及び濯ぎノズルの取付方法である。
【発明の効果】
【００１７】
以上のような本発明によれば、濯ぎノズル及び洗浄ノズルの着脱を容易とすることが出来た。又、濯ぎノズル及び洗浄ノズルの着脱を安全に行なうことが出来た。
【発明を実施するための最良の形態】
【００１８】
以下本発明の実施の形態を図に従って説明する。図１は、図９で示す食器洗浄機１の洗浄室１０内の下側に設置される濯ぎノズル及び洗浄ノズルの取付部分の拡大図であり、図２は、下側の濯ぎノズル及び洗浄ノズルの分解斜視図であり、図３は、図５で示す食器洗浄機１の洗浄室１０内の上側に設置される濯ぎノズル及び洗浄ノズルの取付部分の拡大図であり、図４は、上側の濯ぎノズル及び洗浄ノズルの分解斜視図であり、図５は、導水管９の斜視図であり、図６は、上側の洗浄ノズルの平面図（ａ）及び側面図（ｂ）であり、図７は、図６（ａ）Ａ−Ａ断面図であり、図８は、上側及び下側の濯ぎノズル及び洗浄ノズルの食器洗浄機への取付構造を示す図であり、図９は、食器洗浄機を示す図である。
【００１９】
図８及び図９に示すように、本発明の食器洗浄機１は、下部筐体１１と下部筐体１１の背面に立設された後壁１３、後壁１３に上下方向にスライド自在に支持された箱型の蓋１４を備えて構成され、下部筐体１１の上方には、洗浄する食器類が収納され洗浄される洗浄室１０が形成されている。蓋１４は、その両端が後壁１３の両側部に軸支されると共に、蓋１４にアーム１４２を介して軸支された、蓋１４の前方に中間部が位置するコの字型のハンドル１４１により上下移動がなされ、洗浄室１０は、蓋１４の上下移動により開閉される。
【００２０】
下部筐体１１の上部には、洗浄槽２が設けられ、洗浄槽２と洗浄室１０の間には、仕切板３１及びごみ受けかご３２が着脱自在に設置されている。洗浄槽２には、洗浄槽２から水が溢れないように、図示しない溢水管を設けている。洗浄槽２の上方には洗浄する食器が収納される図示しないラックが載置されるラックレール３３が、後壁１３方向に回動自在に設置されている。下部筐体１１の底部であって、洗浄槽２の下方には、図示しない洗浄水用ポンプ、濯ぎ水用ポンプ３９、食器洗浄機１の作動を制御するための図示しない電装盤が収納されている。
【００２１】
洗浄水用ポンプに連設された洗浄水配管５が洗浄槽２の底面２１を貫通して、洗浄槽２内の略中央に突出し、枝分かれして、一方は先端を上方、洗浄室１０方向に向け突出し、他方は曲折して、後壁１３側で立上り、洗浄室１０の上側略中央で、下方に曲折し、先端を下方に向けて設置されている。又、濯ぎ水用ポンプ３９に連設された濯ぎ水用配管６が洗浄槽２の底面２１を貫通して、洗浄槽２内に突出し、洗浄槽２内で枝分かれして、一方は、洗浄槽２内の略中央に上方に向けて突出した洗浄水配管５内に入り、その先端から突出し、他方は曲折して、後壁１３側で立上り、洗浄室１０の上側略中央で、洗浄水配管５内に入り、下方に向いた洗浄水配管５の先端から下方に突出している。そして、夫々の洗浄水配管５の先端には洗浄ノズル７が、濯ぎ水配管６の先端には濯ぎノズル８が、着脱自在に取り付けられている。
【００２２】
洗浄水用ポンプは、洗浄槽２の底面２１に穿孔した図示しない排水口と連設した図示しない排水管と連結し、洗浄槽２内の洗浄水を吸引し、洗浄水配管５、洗浄ノズル７へ送る。又、濯ぎ水用ポンプ３９は、図示しない外部に設けられた温水を供給する給湯器と連結し、未使用の温水を濯ぎ水配管６、濯ぎノズル８へ送る。
【００２３】
洗浄室１０の下側に設けられた洗浄ノズル７及び濯ぎノズル８は、仕切板３１とラックレール３３間に位置して設置され、上側の洗浄ノズル７及び濯ぎノズル８は、洗浄室１０の上部に位置して設置されている。
【００２４】
このような食器洗浄機１の使用、動作について説明すると、洗浄する食器が収納された図示しないラックがラックレール３３上に載置され、蓋１４をハンドル１４１により下方向に移動させて洗浄室１０を閉じる。蓋１４を閉めると、自動的に近接スイッチが入り、図示しない洗浄水ポンプを作動させ、洗浄槽２内の洗浄水２００を洗浄水配管５を通して洗浄ノズル７に送る。或いは、電装盤３７と接続された操作パネル１００の作動開始のスイッチ１０１をオンにし、洗浄水ポンプを作動させる構成としてもよい。洗浄ノズル７に送られた洗浄水は、ノズル孔７１から洗浄する食器及び洗浄室１０内の食器洗浄機１の各種部材にむかって噴出される。洗浄ノズル７は回転自在に設置されているので、洗浄水の噴射により回転する。食器及び洗浄室１０内の食器洗浄機１の各種部材を洗浄した洗浄水は、仕切板３１及びごみ受けかご３２を流れ、食器に付着していたごみはごみ受けかご３２に集められ、ごみが混じっていない洗浄水は再び洗浄槽２に流入し、以後同様に循環する。
【００２５】
所定時間の洗浄後、洗浄水用ポンプが停止し、濯ぎ水用ポンプ３９が作動し、外部に設けられた温水を供給する給湯器から未使用の温水を濯ぎ水配管６、濯ぎノズル８へ送る。濯ぎノズル８に送られた濯ぎ水は、ノズル孔８３から濯ぐ食器及び洗浄室１０内の食器洗浄機１の各種部材にむかって噴出される。濯ぎノズル８は回転自在に設置されているので、濯ぎ水の噴射により回転する。食器及び洗浄室１０内の食器洗浄機１の各種部材を濯いだ濯ぎ水は、仕切板３１及びごみ受けかご３２を流れ、洗浄槽２に流入する。洗浄槽２内の水が増えると、溢水管から洗浄槽２外へと排水される。所定時間の濯ぎ後、濯ぎ水ポンプ３９が停止し、食器の洗浄が完了する。
【００２６】
次に、洗浄ノズル７及び濯ぎノズル８の取付構造について、説明する。上述のように、食器洗浄機１には、上側及び下側に洗浄ノズル７及び濯ぎノズル８が設けられている。洗浄ノズル７及び濯ぎノズル８の構成は上側と下側とで同一であり、取付構造は、上側と下側とで上下対称である。尚、洗浄ノズル７及び濯ぎノズル８は上側又は下側の一方にのみ設置することとしてもよい。
【００２７】
洗浄ノズル７は、図１〜図４、図６及び図７によく示すように、１対のケース、即ち、細長皿状で、断面凹状の、縁部にフランジ７３を有し、長手方向に所定の間隔をおいてノズル孔７１を有し、中心部に濯ぎ水配管６が挿入される管挿入孔７２を有する表面ケース７５と、細長皿状で、断面凹状の、縁部にフランジ７６を有し、中心部に洗浄水配管５が挿入される管挿入孔７７を有する裏面ケース７９を上下方向から重ねて固定して形成している。
【００２８】
表面ケース７５と裏面ケース７９の固定は、夫々がステンレス等で形成されている場合、重ねたフランジに通電してシーム溶接により行うことも出来るが、図７に示すように、フランジの角を突出させずに、作業者の手を傷つけることを防止するため、一方のフランジ７３を曲折して他方のフランジ７６を挟み込み、かしめて、挟持させて固定して形成することが好ましい。尚、フランジ７６を曲折して他方のフランジ７３を挟み込む構成としてもよい。
【００２９】
又、上側に設置する洗浄ノズル７の上方に位置する裏面ケース７９の底面７９２は、設置時に水平となる平面状ではなく、裏面ケース７９の底面７９２を、裏面ケース７９の短手方向の側端に向けて下がる傾斜を設けることが好ましい。このような形状とすることで、洗浄運転の終了後に、洗浄ノズル７の裏面ケース７９上に洗浄水がたまることを防止し、洗浄運転終了後の洗浄ノズル７からの洗浄液の滴下の時間を短縮することが出来、又、洗浄液と濯ぎ水との混合を防止することが出来る。
【００３０】
裏面ケース７９の底面７９２を、裏面ケース７９の短手方向の側端に向けて下がる傾斜を設けるため、図７に示すように、底面７９２を洗浄ノズル７の短手方向の断面が、外方に突出する曲面状とすることができ、又、このように曲面状とするほか、洗浄ノズル７の短手方向の何れか側或いは両側に向かって下がるように傾斜した平面形状としても、同様の効果を得ることが出来る。
【００３１】
濯ぎノズル８は、長手方向に所定の間隔をおいて噴出口８３を設けた、先端が閉じられた円筒状のノズルヘッダー８１を複数本放射状に保持するノズルホルダー８２を備えて形成され、ノズルホルダー８２の横方向に突出するヘッダー設置筒部８２１にノズルヘッダー８１が挿入され、ヘッダー設置筒部８２１を貫通するネジ８２５により固定されている。
【００３２】
ノズルホルダー８２の上下面には、ヘッダー設置筒部８２１と直交する方向に、導水管９が挿入される挿入孔８２６が夫々設けられ、挿入孔８２６の外側には、導水管９が回転可能に嵌入される軸受８５が設けられている。軸受８５は筒部８５１の一端部から外方にフランジ８５２を突出させ、ノズルホルダー８２の上下面には、軸受８５を固定するための固定筒部８２８が設けられ、固定筒部８２８に軸受８５を、フランジ８５２をノズルホルダー８２に対向させて挿入し、固定筒部８２８の内面に設けた凹部８２９にスナップリング８３０を係止させて、スナップリング８３０でフランジ８５２を係止して、軸受８５をノズルホルダー８２に固定している。
【００３３】
図１及び図３に示すように、洗浄水配管５の先端部分の略中央には、濯ぎ水配管６が配置され、洗浄水配管５の先端から濯ぎ水配管６が突出している。尚、上側及び下側の洗浄ノズル７及び濯ぎノズル８の構成及び取付構造は上下対称であるので、図１及び図２で示す下側の構成で説明する。
【００３４】
洗浄水配管５の先端には、外径が他の部分の外径より小さい細管部５１が形成され、段部５２が形成されている。細管部５１を洗浄ノズル７の裏面ケース７９の管挿入孔７７に挿入して洗浄ノズル７に挿入する。尚、洗浄水配管５と洗浄ノズル７間には、段部５２に係止されたパッキング２６を介装させている。
【００３５】
濯ぎ水配管６は洗浄ノズル７の管挿入孔７７及び管挿入孔７２を貫通し、洗浄ノズル７を貫通している。濯ぎ水配管６の先端内径には、導水管９が挿入され、導水管９の外側面に設けた鍔９１と濯ぎ水配管６の先端面間に、導水管９を挿入したＯ−リング２２が設置されている。
【００３６】
そして、外側面に凹凸が形成され、作業者が手で回転させることが出来る、凹凸ナット４の貫通孔４２に設けためねじを、濯ぎ水配管６先端部の外周に設けたおねじと螺合させる。凹凸ナット４の先端部４１は、管挿入孔７２に挿入され、凹凸ナット４の貫通孔４２からは導水管９が突出している。凹凸ナット４の貫通孔４２には段部４２２が設けられ、導水管９の鍔９１と係合し、凹凸ナット４の締結により、Ｏ−リング２２が押圧され、水漏れを防止する。又、凹凸ナット４と洗浄ノズル７間にはパッキング２５が介装されている。
【００３７】
更に、導水管９をノズルホルダー８２の上下の挿入孔８２６に挿入すると共に、上下の軸受８５に回転可能に軸支させ、導水管９の送水孔９３をヘッダー設置筒部８２１と連設した空間部９８に位置させる。導水管９の先端内径に設けためねじに、エンドナット２８を螺入する。エンドナット２８は作業者が手で回転させることが出来るよう頭部２８１の側面に凹凸が設けられている。又、そのネジ部２８２にはＯ−リング３８が挿入され、エンドナット２８の締結により、導水管９の先端面とエンドナット２８の頭部２８１間に設置されたＯ−リング３８が押圧される。
【００３８】
このような構造、構成であるので、洗浄ノズル７及び濯ぎノズル８の着脱は、凹凸ナット４及びエンドナット２８を作業者が、器具を使用することなく、直接手で締結し或いは緩めて行うことが出来る。
【図面の簡単な説明】
【００３９】
【図１】下側の濯ぎノズル及び洗浄ノズルの取付部分の拡大図
【図２】下側の濯ぎノズル及び洗浄ノズルの分解斜視図
【図３】上側の濯ぎノズル及び洗浄ノズルの取付部分の拡大図
【図４】上側の濯ぎノズル及び洗浄ノズルの分解斜視図
【図５】導水管の斜視図
【図６】上側の洗浄ノズルの平面図（ａ）及び側面図（ｂ）
【図７】図６（ａ）Ａ−Ａ断面図であり、本発明洗浄ノズル一実施例断面図である
【図８】上側及び下側の濯ぎノズル及び洗浄ノズルの食器洗浄機への取付構造を示す図
【図９】本発明食器洗浄機一実施例斜視図
【符号の説明】
【００４０】
１      食器洗浄機
１０    洗浄室
１００  操作パネル
１１    下部筐体
１３    後壁
１４    蓋
１４１  ハンドル
２      洗浄槽
２８    エンドナット
４      凹凸ナット
５      洗浄水配管
６      濯ぎ水配管
７      洗浄ノズル
７１    ノズル孔
７３    フランジ
７５    表面ケース
７６    フランジ
７９    裏面ケース
７９２  裏面ケースの底面
８      濯ぎノズル
８１    ノズルヘッダー
８２    ノズルホルダー
８２１  ヘッダー設置筒部
８５    軸受
９      導水管
９１    鍔
【図１】
2010057843.tif 000003
【図２】
2010057843.tif 000004
【図３】
2010057843.tif 000005
【図４】
2010057843.tif 000006
【図５】
2010057843.tif 000007
【図６】
2010057843.tif 000008
【図７】
2010057843.tif 000009
【図８】
2010057843.tif 000010
【図９】
2010057843.tif 000011